(57)【要約】  本発明によれば、ユーザごとに、購入した乗車券に関するチケット情報、及び、生体情報を管理するユーザ情報管理部（１１）と、停車地点毎に、乗車を許可するユーザのリストであって、停車地点各々から乗車できる乗車券を有するユーザを含む乗車ホワイトリストを作成するリスト作成部（１２）と、停車地点各々のシステムに、停車地点各々に対応した乗車ホワイトリストに含まれているユーザの生体情報を送信する送信部（１３）と、を有する管理装置（１０）が提供される。
2018207357.tif 000002
【特許請求の範囲】
【請求項１】
ユーザごとに、購入した乗車券に関するチケット情報、及び、生体情報を管理するユーザ情報管理手段と、
停車地点毎に、乗車を許可するユーザのリストであって、前記停車地点各々から乗車できる前記乗車券を有するユーザを含む乗車ホワイトリストを作成するリスト作成手段と、
前記停車地点各々のシステムに、前記停車地点各々に対応した前記乗車ホワイトリストに含まれているユーザの前記生体情報を送信する送信手段と、
を有する管理装置。
【請求項２】
請求項１に記載の管理装置において、
前記リスト作成手段は、有効期間内の前記乗車券を有しているユーザに限定した前記乗車ホワイトリストを作成する管理装置。
【請求項３】
請求項２に記載の管理装置において、
前記リスト作成手段は、前記停車地点毎に、前記停車地点各々で乗車可能な前記乗車券を有しているユーザに限定した前記乗車ホワイトリストを作成する管理装置。
【請求項４】
請求項１から３のいずれか１項に記載の管理装置において、
前記ユーザ情報管理手段は、前記停車地点毎に、ユーザの登録された住所と前記停車地点各々との関係が所定の条件を満たすユーザに限定した前記乗車ホワイトリストを作成する管理装置。
【請求項５】
請求項１から４のいずれか１項に記載の管理装置において、
前記リスト作成手段は、前記停車地点毎に、ユーザが前記乗車券に関する所定の操作を行った時の位置と前記停車地点各々との関係が所定の条件を満たすユーザに限定した前記乗車ホワイトリストを作成する管理装置。
【請求項６】
請求項１から５のいずれか１項に記載の管理装置において、
前記リスト作成手段は、所定期間内に繰り返し乗り降りできる前記乗車券を有するユーザの降車地点との関係が所定条件を満たす前記停車地点毎に当該ユーザを追加した前記乗車ホワイトリストを作成する管理装置。
【請求項７】
請求項１から６のいずれか１項に記載の管理装置において、
前記リスト作成手段は、１回のみ乗り降りできる前記乗車券を有するユーザの乗車が検出された場合、当該ユーザを前記乗車ホワイトリストから削除する管理装置。
【請求項８】
請求項１から７のいずれか１項に記載の管理装置において、
前記リスト作成手段は、所定期間内に繰り返し乗り降りできる前記乗車券を有するユーザを、前記所定期間の経過に応じて前記乗車ホワイトリストから削除する管理装置。
【請求項９】
請求項１から８のいずれか１項に記載の管理装置において、
前記リスト作成手段は、停車地点毎に、降車を許可するユーザのリストである降車ホワイトリストを作成し、
前記送信手段は、前記停車地点各々のシステムに、前記停車地点各々に対応した前記降車ホワイトリストに含まれているユーザの前記生体情報を送信する管理装置。
【請求項１０】
請求項９に記載の管理装置において、
前記リスト作成手段は、有効期間内の前記乗車券を有しているユーザに限定した前記降車ホワイトリストを作成する管理装置。
【請求項１１】
請求項１０に記載の管理装置において、
前記リスト作成手段は、前記停車地点毎に、前記停車地点各々で降車可能な前記乗車券を有しているユーザに限定した前記降車ホワイトリストを作成する管理装置。
【請求項１２】
請求項９から１１のいずれか１項に記載の管理装置において、
前記リスト作成手段は、ユーザの乗車地点からの距離が当該ユーザの前記乗車券で移動可能な距離以内の前記停車地点毎に当該ユーザを追加した前記降車ホワイトリストを作成する管理装置。
【請求項１３】
請求項９から１２のいずれか１項に記載の管理装置において、
前記リスト作成手段は、乗車したユーザを前記降車ホワイトリストに加え、降車したユーザを前記降車ホワイトリストから削除する管理装置。
【請求項１４】
請求項１から１３のいずれか１項に記載の管理装置と、
停車地点毎に設置され、停車地点にいるユーザから取得した生体情報と、前記管理装置から取得した生体情報とに基づき認証処理を行い、前記認証処理の結果に基づき前記ユーザの乗車の可否を管理する停車地点システムと、
を有する管理システム。
【請求項１５】
コンピュータが、
ユーザごとに、購入した乗車券に関するチケット情報、及び、生体情報を管理するユーザ情報管理工程と、
停車地点毎に、乗車を許可するユーザのリストであって、前記停車地点各々から乗車できる前記乗車券を有するユーザを含む乗車ホワイトリストを作成するリスト作成工程と、
前記停車地点各々のシステムに、前記停車地点各々に対応した前記乗車ホワイトリストに含まれているユーザの前記生体情報を送信する送信工程と、
を実行する管理方法。
【請求項１６】
コンピュータを、
ユーザごとに、購入した乗車券に関するチケット情報、及び、生体情報を管理するユーザ情報管理手段、
停車地点毎に、乗車を許可するユーザのリストであって、前記停車地点各々から乗車できる前記乗車券を有するユーザを含む乗車ホワイトリストを作成するリスト作成手段、
前記停車地点各々のシステムに、前記停車地点各々に対応した前記乗車ホワイトリストに含まれているユーザの前記生体情報を送信する送信手段、
として機能させるプログラム。
【発明の詳細な説明】
【技術分野】
【０００１】
本発明は、管理装置、管理システム、管理方法及びプログラムに関する。
【背景技術】
【０００２】
特許文献１には、生体情報を搭乗券として用いるチケットレス搭乗システムが開示されている。当該システムは、チェックイン時に利用者本人の生体情報を取得し、生体情報を予約情報（登場日時、出発地、到着地、搭乗者名など）と紐付けて搭乗サーバに格納することで、生体情報を搭乗券の代わりとして利用可能にしている。【０００３】
特許文献２には、指紋認証技術を用いて航空券を発券して、チケットレスで航空機に搭乗できるようにした認証システムが開示されている。当該システムは、航空券発行時にユーザの指紋情報を取得し、予約情報と対応付けて登録する。そして、搭乗ゲートでは、各ユーザから予約情報、及び、指紋の入力を受付ける。すると、当該システムは、入力された予約情報に対応付けて登録されている指紋情報と、搭乗ゲートで入力された指紋とを用いて照合処理を行う。【０００４】
特許文献３には、チケット所有者の認証を可能にするチケット発行管理装置が開示されている。当該装置は、興行を特定する興行特定情報と、チケット所有者を認証するための認証情報にアクセスするための所有者特定情報と、チケット所有者の顔データとを関連付けたデータをプリントアウトする。
【先行技術文献】
【特許文献】
【０００５】
【特許文献１】特開２００７−７９６５６号公報
【特許文献２】特許第５０５１４１９号
【特許文献３】特開２０１３−２５１０１０号公報
【発明の概要】
【発明が解決しようとする課題】
【０００６】
本発明者らは、電車やバス等への乗り降りを管理するシステム、具体的には、事前に乗り降りを許可するユーザの生体情報を登録しておき、当該生体情報（登録生体情報）と、ゲートで取得したユーザの生体情報とを用いた照合処理でユーザの乗り降りを管理するシステムを検討した。その結果、次のような課題を見出した。【０００７】
航空機では、購入した搭乗券に応じて搭乗する場所や時間等が指定される。この場合、各場所、各時間での照合処理に用いる登録生体情報をある程度の量に抑えることができる。しかし、電車やバス等では、購入した乗車券に応じて乗車する場所や時間等が指定されない場合がある。この場合、各場所、各時間での照合処理に用いる登録生体情報の量が膨大となる。【０００８】
本発明は、生体情報を用いて電車やバス等への乗り降りを管理する技術において、各停車地点での照合処理の負担を軽減することを課題とする。
【課題を解決するための手段】
【０００９】
本発明によれば、
ユーザごとに、購入した乗車券に関するチケット情報、及び、生体情報を管理するユーザ情報管理手段と、
停車地点毎に、乗車を許可するユーザのリストであって、前記停車地点各々から乗車できる前記乗車券を有するユーザを含む乗車ホワイトリストを作成するリスト作成手段と、
前記停車地点各々のシステムに、前記停車地点各々に対応した前記乗車ホワイトリストに含まれているユーザの前記生体情報を送信する送信手段と、
を有する管理装置が提供される。【００１０】
また、本発明によれば、
前記管理装置と、
停車地点毎に設置され、停車地点にいるユーザから取得した生体情報と、前記管理装置から取得した生体情報とに基づき認証処理を行い、前記認証処理の結果に基づき前記ユーザの乗車の可否を管理する停車地点システムと、
を有する管理システムが提供される。【００１１】
また、本発明によれば、
コンピュータが、
ユーザごとに、購入した乗車券に関するチケット情報、及び、生体情報を管理するユーザ情報管理工程と、
停車地点毎に、乗車を許可するユーザのリストであって、前記停車地点各々から乗車できる前記乗車券を有するユーザを含む乗車ホワイトリストを作成するリスト作成工程と、
前記停車地点各々のシステムに、前記停車地点各々に対応した前記乗車ホワイトリストに含まれているユーザの前記生体情報を送信する送信工程と、
を実行する管理方法が提供される。【００１２】
また、本発明によれば、
コンピュータを、
ユーザごとに、購入した乗車券に関するチケット情報、及び、生体情報を管理するユーザ情報管理手段、
停車地点毎に、乗車を許可するユーザのリストであって、前記停車地点各々から乗車できる前記乗車券を有するユーザを含む乗車ホワイトリストを作成するリスト作成手段、
前記停車地点各々のシステムに、前記停車地点各々に対応した前記乗車ホワイトリストに含まれているユーザの前記生体情報を送信する送信手段、
として機能させるプログラムが提供される。
【発明の効果】
【００１３】
本発明によれば、生体情報を用いて電車やバス等への乗り降りを管理する技術において、各停車地点での照合処理の負担を軽減することが可能となる。
【図面の簡単な説明】
【００１４】
上述した目的、および、その他の目的、特徴及び利点は、以下に述べる好適な実施の形態、および、それに付随する以下の図面によって、さらに明らかになる。【００１５】
【図１】本実施形態の管理システムの機能ブロック図の一例である。
【図２】本実施形態の管理装置及び停車地点システムのハードウエア構成の一例を示す図である。
【図３】本実施形態の管理装置の機能ブロック図の一例である。
【図４】本実施形態の管理装置で管理される情報の一例を模式的に示す図である。
【図５】本実施形態の管理装置で管理される情報の一例を模式的に示す図である。
【図６】本実施形態の管理装置で管理される情報の一例を模式的に示す図である。
【図７】本実施形態の管理装置の適用例の処理の流れの一例を示すフロー図である。
【図８】本実施形態の管理装置の適用例の処理の流れの一例を示すフロー図である。
【発明を実施するための形態】
【００１６】
＜第１の実施形態＞
まず、本実施形態の管理システムの全体像、及び、管理システムに含まれる構成要素の概要を説明する。
【００１７】
本実施形態の管理システムは、生体情報を用いて電車やバス等への乗り降りを管理するシステムである。図１に示すように、管理システムは、管理装置１０と、複数の停車地点システム２０とを有する。管理装置１０と複数の停車地点システム２０とは任意の通信手段で互いに通信可能に構成される。
【００１８】
管理装置１０は、ユーザごとに、購入した乗車券に関するチケット情報、及び、生体情報を管理する。そして、管理装置１０は、停車地点毎（例：鉄道の駅毎、バス・路面電車の停留所毎）に、乗車を許可するユーザのリストである乗車ホワイトリストを作成する。管理装置１０は、各停車地点用の乗車ホワイトリストとして、各停車地点から乗車できる乗車券を有する複数のユーザの中の一部のユーザを含む乗車ホワイトリストを作成する。
【００１９】
そして、管理装置１０は、各停車地点システム２０に、各停車地点システム２０に対応した乗車ホワイトリストに含まれているユーザの生体情報を送信する。
【００２０】
複数の停車地点システム２０は、停車地点毎に設置される。停車地点システム２０は、ユーザの乗り降りを制御する改札機やゲート（セキュリティゲート）、又はデータを一次保存・処理するローカルサーバを有してもよい。
【００２１】
停車地点システム２０は、停車地点にいるユーザ、すなわち乗車しようとしているユーザ（例：ゲートを通過しようとしているユーザ）から取得した生体情報（「対象生体情報」と呼ぶ）と、管理装置１０から取得した生体情報（「登録生体情報」と呼ぶ）とに基づき認証処理を行う。対象生体情報の取得は、カメラ、指紋センサ、マイク等の入力装置を介して実現される。ここで、登録生体情報と本実施形態における乗車ホワイトリストとの関係は、「登録生体情報は乗車ホワイトリストに含まれているユーザの生体情報」になる。
【００２２】
そして、停車地点システム２０は、認証処理の結果に基づきユーザの乗車の可否を管理する。すなわち、対象生体情報がいずれかの登録生体情報とマッチングした場合、停車地点システム２０は、そのユーザの乗車を許可する。一方、対象生体情報がいずれの登録生体情報ともマッチングしない場合、停車地点システム２０は、そのユーザの乗車を許可しない。
【００２３】
乗車を許可する場合の処理、及び、乗車を許可しない場合の処理は設計的事項である。例えば、乗車を許可しない場合、停車地点システム２０は、任意の出力装置（例：ランプ、スピーカ、ディスプレイ等）を介して警告用の出力を行ってもよいし、ゲートを閉じてもよい。一方、乗車を許可する場合、停車地点システム２０は、任意の出力装置（例：ランプ、スピーカ、ディスプレイ等）を介して乗車を許可する際の出力を行ってもよいし、ゲートを開いてもよい。
【００２４】
以上、本実施形態の管理システムは、各停車地点用の乗車ホワイトリストとして、各停車地点から乗車できる乗車券を有する複数のユーザの中の一部のユーザを含む乗車ホワイトリストを作成し、当該乗車ホワイトリストに含まれているユーザの生体情報（登録生体情報）を用いて各停車地点での照合処理を行う。このため、各停車地点での照合処理に用いる登録生体情報の量を抑制することができる。
【００２５】
次に、管理装置１０及び停車地点システム２０の構成を詳細に説明する。まず、管理装置１０及び停車地点システム２０各々のハードウエア構成の一例について説明する。本実施形態の管理装置１０及び停車地点システム２０各々が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２６】
図２は、本実施形態の管理装置１０及び停車地点システム２０各々のハードウエア構成を例示するブロック図である。図２に示すように、管理装置１０及び停車地点システム２０各々は、プロセッサ１Ａ、メモリ２Ａ、入出力インターフェイス３Ａ、周辺回路４Ａ、バス５Ａを有する。周辺回路４Ａには、様々なモジュールが含まれる。
【００２７】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵやＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク、物理キー、タッチパネルディスプレイ、コードリーダ等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２８】
次に、管理装置１０の機能構成を説明する。図３に、管理装置１０の機能ブロック図の一例を示す。図示するように、管理装置１０は、ユーザ情報管理部１１と、リスト作成部１２と、送信部１３とを有する。
【００２９】
ユーザ情報管理部１１は、ユーザごとに、購入した乗車券に関するチケット情報、及び、生体情報を管理する。図４に、ユーザ情報管理部１１が管理する情報（管理情報）の一例を模式的に示す。当該管理情報は、ユーザＩＤ（identifier）と、生体情報と、各種情報と、チケット情報とを互いに対応付けている。管理情報は、例えば以下のようにして登録される。
【００３０】
まず、当該サービスを利用するユーザは、アカウントを作成し、各種情報や生体情報を登録する。登録する各種情報は、氏名、年齢、生年月日、住所、電話番号、クレジットカード情報等が例示されるが、これらの一部を含まなくてもよいし、その他の情報を含んでもよい。生体情報は、顔画像、指紋、声紋、虹彩、又はこれらのいずれから抽出された特徴量等が例示されるが、その他の情報であってもよい。アカウントの作成、各種情報や生体情報の登録は、ユーザ端末（例：スマートフォン、タブレット等）にインストールした当該サービス専用のアプリを介して実行されてもよいし、ウェブブラウザで当該サービスのウェブサイトにアクセスし、当該ウェブサイト上で実行されてもよい。
【００３１】
新たなアカウントの作成に応じて、新たなユーザＩＤ、生体情報及び各種情報の組み合わせが、管理情報に登録される。
【００３２】
アカウントを作成したユーザは、任意のタイミングで所望の乗車券を購入することができる。乗車券の購入は、当該サービス専用のアプリを介して実行されてもよいし、当該サービスのウェブサイト上で実行されてもよい。
【００３３】
ユーザは、乗車券の種類や、各種乗車券に特有の事項を指定して、所望の乗車券を購入する。以下、各種乗車券を例示する。
【００３４】
「ゾーンチケット」
乗車券の一例として、所定のゾーン内の任意の停車地点で自由に乗り降りできるゾーンチケットが例示される。ゾーンが複数存在する場合、乗車券購入時にユーザが所望のゾーンを指定できる。ゾーンが１つの場合もあり、この場合には乗車券購入時におけるゾーンの指定は不要である。
【００３５】
ゾーンチケットは、１回のみ乗り降りできるワンタイムゾーンチケットや、所定の期間内に繰り返し乗り降りできる期間ゾーンチケット等を含む。所定の期間は、１日、２時間、６時間、１２時間、１週間、１カ月、３カ月、６カ月等が例示されるが、これらに限定されない。乗車券購入時にユーザが所望の期間を指定できる。所定の期間が、１カ月、３カ月、６カ月と比較的長期の期間ゾーンチケットの一例として、いわゆる定期券が挙げられる。
【００３６】
所定の期間のカウントの開始タイミングは、乗車券の購入タイミングであってもよいし、ユーザが改札機やゲートを通過したタイミング（停車地点システム２０が乗車を許可するタイミング）であってもよいし、乗車券購入後にユーザが所定の操作（アクティベート操作）を行ったタイミングであってもよい。所定の操作を行ったタイミング（アクティベート操作）の場合、アクティベート操作後にその乗車券に基づく乗車が可能となる。すなわち、乗車券購入後かつアクティベート操作前は、その乗車券に基づく乗車は許されない。
【００３７】
アクティベート操作は、当該サービス専用のアプリを介して実行されてもよいし、当該サービスのウェブサイト上で実行されてもよい。例えば、ユーザは、ユーザ端末を操作してログイン後、購入済の乗車券の一覧をユーザ端末のディスプレイに表示させることができてもよい。そして、ユーザは、１つの乗車券を指定し、その乗車券をアクティベートさせる指示入力ができてもよい。当該指示入力の内容が、ユーザ端末から管理装置１０に送信され、その乗車券がアクティベートされた旨が登録される。アクティベート操作のためのアプリやウェブサイトの構成は設計的事項であり、ここで説明したものに限定されない。なお、所定の期間のカウントの開始タイミングが乗車券の購入タイミング等である場合、アクティベート操作は不要である。
【００３８】
ここで説明した所定の期間のカウントの開始タイミング及びアクティベート操作は、以下で説明する乗降地点指定チケット及び距離指定チケットにおいても同様である。
【００３９】
「乗降地点指定チケット」
乗車券の他の一例として、ユーザが乗車・降車する停車地点として、乗車地点及び降車地点を指定した乗降地点指定チケットが例示される。降車には、下車という意味も含んでいる。乗降地点指定チケットは、１回のみ乗り降りできるワンタイム乗降地点指定チケットや、所定の期間内に繰り返し乗り降りできる期間乗降地点指定チケット等を含む。所定の期間は、１日、２時間、６時間、１２時間、１週間、１カ月、３カ月、６カ月等が例示されるが、これらに限定されない。乗車券購入時にユーザが所望の期間を指定できる。所定の期間が、１カ月、３カ月、６カ月と比較的長期の期間乗降地点指定チケットの一例として、いわゆる定期券が挙げられる。
【００４０】
乗降地点指定チケットは、指定された乗車地点からの乗車のみを許可し、指定された降車地点での降車のみを許可するものであってもよい。その他、乗降地点指定チケットは、指定された乗車地点と降車地点の間の任意の停車地点での乗車及び降車を許可するものであってもよい。
【００４１】
乗車地点及び降車地点の指定は、それぞれで１つの停車地点の指定であってもよいし、複数の停車地点を含むエリアの指定であってもよい。
【００４２】
「距離指定チケット」
乗車券の他の一例として、移動距離を指定した距離指定チケットが例示される。距離指定チケットは、１回のみ乗り降りできるワンタイム距離指定チケットや、所定の期間内に繰り返し乗り降りできる期間距離指定チケット等を含む。所定の期間は、１日、２時間、６時間、１２時間、１週間、１カ月、３カ月、６カ月等が例示されるが、これらに限定されない。乗車券購入時にユーザが所望の期間を指定できる。所定の期間が、１カ月、３カ月、６カ月と比較的長期の距離指定チケットの一例として、いわゆる定期券が挙げられる。
【００４３】
距離指定チケットにおける移動距離の指定には、例えば、「乗車地点から○○円区間分」、「乗車地点から○○ドル区間分」等のように乗車地点からの降車地点までの運賃により指定される。
【００４４】
距離指定チケットを有するユーザは、指定された停車地点からの乗車が許される場合と、任意の停車地点から乗車を許される場合とがある。そして、いずれの場合においても、その乗車地点からの移動距離が、指定された移動距離以内である停車地点にてユーザは降車を許される。
【００４５】
「プリペイドチケット」
乗車券の他の一例として、ゾーン、乗車地点、降車地点、移動距離等を指定しないプリペイドチケットが例示される。プリペイドチケットには、任意の金額をチャージできる。所定金額以上をチャージしているプリペイドチケットを有するユーザは、任意の停車地点から乗車を許される。そして、その乗車地点からの移動に課される金額が、チャージされている金額以下である停車地点にて降車を許される。
【００４６】
ユーザは、乗車券の種類や各乗車券に特有の事項を指定して所望の乗車券を購入する。すると、購入した乗車券に関する情報が、チケット情報としてユーザ情報管理部１１に管理される。また、アクティベート操作を要する構成とする場合、ユーザ情報管理部１１は、各乗車券がアクティベートされているか否かをさらに管理してもよい。
【００４７】
図３に戻り、リスト作成部１２は、停車地点毎に、乗車を許可するユーザのリストであって、停車地点各々から乗車できる乗車券を有するユーザを含む乗車ホワイトリストを作成する。図５に、乗車ホワイトリストの一例を模式的に示す。図示する例では、各停車地点ＩＤに対して、一または複数のユーザＩＤを対応付けている。各停車地点に対応付けられたユーザが、各停車地点の乗車ホワイトリストに含まれているユーザである。
【００４８】
ここで、各停車地点の乗車ホワイトリストを作成するために、ユーザを決定する条件の一例を説明する。
【００４９】
「条件１−１：有効期間内の乗車券を有しているユーザに限定した乗車ホワイトリストを作成する」
リスト作成部１２は、有効期間内の乗車券を有しているユーザを乗車ホワイトリストに追加する。条件１−１に基づく場合、リスト作成部１２は、有効期間外の乗車券を有しているユーザを乗車ホワイトリストに追加しない。有効期間を過ぎた乗車券やアクティベート操作前の乗車券等が、有効期間外の乗車券である。
【００５０】
条件１−１は、期間ゾーンチケット、期間乗降地点指定チケット、期間距離指定チケット等に適用可能である。
【００５１】
「条件１−２：停車地点毎に、当該停車地点各々で乗車可能な乗車券を有しているユーザに限定した乗車ホワイトリストを作成する」
リスト作成部１２は、チケット情報に基づき、各ユーザの各乗車券の乗車可能な停車地点を特定する。そして、リスト作成部１２は、各ユーザを、その停車地点の乗車ホワイトリストに追加する。条件１−２に基づく場合、リスト作成部１２は、各ユーザを、乗車可能な停車地点以外の停車地点の乗車ホワイトリストに追加しない。
【００５２】
ゾーンチケットの場合、ゾーン内の停車地点が乗車可能な停車地点となる。指定された乗車地点からの乗車のみを許可する乗降地点指定チケットの場合、指定された乗車地点が乗車可能な停車地点となる。指定された乗車地点と降車地点の間の任意の停車地点での乗車及び降車を許可する乗降地点指定チケットの場合、指定された乗車地点と降車地点の間の停車地点（指定された乗降車地点を含む）が乗車可能な停車地点となる。
【００５３】
指定された停車地点からの乗車が許される距離指定チケットの場合、指定された乗車地点が乗車可能な停車地点となる。任意の停車地点からの乗車が許される距離指定チケットの場合、すべての停車地点が乗車可能な停車地点となる。プリペイドチケットの場合、すべての停車地点が乗車可能な停車地点となる。
【００５４】
条件１−２は、ゾーンチケット、乗降地点指定チケット及び距離指定チケット等に適用可能である。
【００５５】
「条件１−３：停車地点毎に、ユーザの登録された住所と当該停車地点各々との関係が所定の条件を満たすユーザに限定した乗車ホワイトリストを作成する」
リスト作成部１２は、各ユーザを、事前に登録された住所との関係が所定条件を満たす停車地点の乗車ホワイトリストに追加する。条件１−３に基づく場合、リスト作成部１２は、各ユーザを、事前に登録された住所との関係が所定条件を満たさない停車地点の乗車ホワイトリストに追加しない。
【００５６】
ここでの所定条件は、例えば、「事前に登録された住所からの距離が所定値以下の停車地点」、「事前に登録された住所から最も近い停車地点」、「事前に登録された住所からの距離が近い方から所定数以内に含まれる停車地点」等が例示される。条件１−３は、すべての乗車券に適用可能である。
【００５７】
「条件１−４：停車地点毎に、ユーザが乗車券に関する所定の操作を行った時の位置と当該停車地点各々との関係が所定の条件を満たすユーザに限定した乗車ホワイトリストを作成する」
リスト作成部１２は、各ユーザを、乗車券に関する所定の操作を行った時の位置との関係が所定条件を満たす停車地点の乗車ホワイトリストに追加する。条件１−４に基づく場合、リスト作成部１２は、各ユーザを、乗車券に関する所定の操作を行った時の位置との関係が所定条件を満たさない停車地点の乗車ホワイトリストに追加しない。
【００５８】
ここでの所定の操作は、例えば、乗車券の購入、アクティベート操作等が例示される。ここでの所定条件は、例えば、「所定の操作を行った時の位置からの距離が所定値以下の停車地点」、「所定の操作を行った時の位置から最も近い停車地点」、「所定の操作を行った時の位置からの距離が近い方から所定数以内に含まれる停車地点」等が例示される。
【００５９】
リスト作成部１２は、所定の操作を行うためにユーザが利用したユーザ端末から、乗車券に関する所定の操作を行った時の位置を取得することができる。当該ユーザ端末は、ＧＰＳ（global positioning system）等の任意の手段で、乗車券に関する所定の操作を行った時の現在位置情報を取得し、管理装置１０に送信する。
【００６０】
所定の操作が乗車券の購入である場合、条件１−４は、すべての乗車券に適用可能である。一方、所定の操作がアクティベート操作である場合、当該条件は、期間ゾーンチケット、期間乗降地点指定チケット、期間距離指定チケット等に適用可能である。
【００６１】
「条件１−５：所定期間内に繰り返し乗り降りできる乗車券を有するユーザの降車地点との関係が所定条件を満たす停車地点毎に当該ユーザを追加した乗車ホワイトリストを作成する」
リスト作成部１２は、所定期間内に繰り返し乗り降りできる乗車券を有するユーザの降車地点を特定し、当該降車地点との関係が所定条件を満たす停車地点の乗車ホワイトリストに当該ユーザを追加する。条件１−５に基づく場合、リスト作成部１２は、所定期間内に繰り返し乗り降りできる乗車券を有するユーザの降車地点との関係が所定条件を満たさない停車地点の乗車ホワイトリストに当該ユーザを追加しない。所定期間内に繰り返し乗り降りできる乗車券は、期間ゾーンチケット、期間乗降地点指定チケット、期間距離指定チケット等である。
【００６２】
ここでの所定条件は、例えば、「降車地点と一致する停車地点」、「降車地点からの距離が所定値以下の停車地点」、「降車地点から最も近い停車地点」、「降車地点からの距離が近い方から所定数以内に含まれる停車地点」等が例示される。
【００６３】
リスト作成部１２は、例えば、停車地点システム２０から、各ユーザの乗車地点や降車地点を示す情報を取得することができる。
【００６４】
条件１−５は、期間ゾーンチケット、期間乗降地点指定チケット、期間距離指定チケット等に適用可能である。
【００６５】
リスト作成部１２は、上記例示した条件１−１乃至１−５の１つ、又は、複数を所定の論理式で組み合わせた条件に基づき、各停車地点の乗車ホワイトリストに追加するユーザを決定することができる。
【００６６】
「条件１−６：１回のみ乗り降りできる乗車券を有するユーザの乗車が検出された場合、当該ユーザを乗車ホワイトリストから削除する」
リスト作成部１２は、１回のみ乗り降りできる乗車券を有するユーザの乗車が検出された場合、当該ユーザを乗車ホワイトリストから削除する。１回のみ乗り降りできる乗車券は、ワンタイムゾーンチケット、ワンタイム乗降地点指定チケット、ワンタイム距離指定チケット等である。
【００６７】
リスト作成部１２は、例えば、停車地点システム２０から、各ユーザの乗車や降車を示す情報を取得することができる。
【００６８】
条件１−６は、ワンタイムゾーンチケット、ワンタイム乗降地点指定チケット、ワンタイム距離指定チケット等に適用可能である。
【００６９】
「条件１−７：所定期間内に繰り返し乗り降りできる乗車券を有するユーザを、所定期間の経過に応じて乗車ホワイトリストから削除する」
リスト作成部１２は、所定期間内に繰り返し乗り降りできる乗車券を有するユーザを、所定期間の経過に応じて乗車ホワイトリストから削除する。所定期間内に繰り返し乗り降りできる乗車券は、期間ゾーンチケット、期間乗降地点指定チケット、期間距離指定チケット等に適用可能である。条件１−７は、期間ゾーンチケット、期間乗降地点指定チケット、期間距離指定チケット等に適用可能である。
【００７０】
リスト作成部１２は、上記例示した条件１−６及び１−７の１つ、又は、複数を所定の論理式で組み合わせた条件に基づき、各停車地点の乗車ホワイトリストから削除するユーザを決定することができる。
【００７１】
なお、各ユーザによる乗車券の購入、アクティベート操作、乗車、降車に関する情報（更新情報）が、ユーザ端末や停車地点システム２０から管理装置１０に送信される。更新情報の送受信は、リアルタイム処理で行われてもよい。そして、リスト作成部１２は、受信した更新情報に基づき、乗車ホワイトリストを更新する。リスト作成部１２は、管理装置１０が新たな更新情報を受信すると、それに応じて乗車ホワイトリストを更新してもよい。
【００７２】
図３に戻り、送信部１３は、停車地点各々のシステム（停車地点システム２０）に、停車地点各々に対応した乗車ホワイトリストに含まれているユーザの生体情報を送信する。停車地点システム２０は、受信したユーザの生体情報を、乗車ホワイトリストとして記憶する。
【００７３】
停車地点システム２０に記憶されている乗車ホワイトリストと、管理装置１０に管理されている乗車ホワイトリストは、リストに含まれているユーザが一致するように定期的に同期される。同期処理は、停車地点システム２０に記憶されている乗車ホワイトリストを、管理装置１０に管理されている各停車地点の乗車ホワイトリストに合わせる形で実行される。同期処理は、比較的短い時間間隔で定期的に行われてもよいし、管理装置１０に管理されている各停車地点の乗車ホワイトリストが更新される都度行われてもよい。
【００７４】
以上説明した本実施形態の管理システムによれば、各停車地点用の乗車ホワイトリストとして、各停車地点から乗車できる乗車券を有する複数のユーザの中の一部のユーザを含む乗車ホワイトリストを作成し、当該乗車ホワイトリストに含まれているユーザの生体情報（登録生体情報）を用いて各停車地点での照合処理を行うことができる。このため、各停車地点での照合処理に用いる登録生体情報の量を抑制することができる。また、管理装置１０から各停車地点システム２０に送信するデータ量を抑制することができる。
【００７５】
また、本実施形態の管理システムによれば、特徴的な条件（上述した条件１−１乃至１−７）に基づき、各停車地点用の乗車ホワイトリストに含まれているユーザを絞り込むことができる。特徴的な条件で適切に絞り込むことで、乗車権限を有するユーザの乗車を拒否してしまう等の不都合の発生を抑制できる。
【００７６】
ここで、本実施形態の変形例を説明する。変形例では、停車地点システム２０は、「各停車地点システム２０から乗車できる乗車券を有する全てのユーザの登録生体情報」を管理装置１０から受信する。また、停車地点システム２０は、各停車地点システム２０の乗車ホワイトリストに含まれているユーザを示す情報を管理装置１０から受信する。
【００７７】
そして、停車地点システム２０は、２ステップに分けて認証処理を行う。各ステップで用いる登録生体情報は異なる。第１のステップでは、停車地点システム２０は、乗車ホワイトリストに含まれているユーザの登録生体情報を用いる。第２のステップでは、停車地点システム２０は、その他のユーザの登録生体情報を用いる。
【００７８】
第１のステップで認証された場合、停車地点システム２０は、第２のステップを実行することなくそのユーザの認証処理を終了する。一方、第１のステップで認証されなかった場合、停車地点システムは第２のステップを実行する。第１のステップ又は第２のステップで認証された場合、停車地点システム２０はそのユーザの乗車を許可する。一方、第１のステップ及び第２のステップいずれでも認証されなかった場合、停車地点システム２０はそのユーザの乗車を許可しない。乗車を許可する場合の処理、及び、乗車を許可しない場合の処理は設計的事項である。当該変形例においても、停車地点システム２０による照合処理の負担を軽減することができる。また、乗車権限を有するユーザの乗車を拒否してしまう不都合の発生を抑制できる。
【００７９】
＜第２の実施形態＞
本実施形態の管理システムは、停車地点毎に降車ホワイトリストを作成する点で第１の実施形態と異なる。その他の構成は、第１の実施形態と同様である。
【００８０】
管理システムの全体像、管理システムに含まれる構成要素、管理装置１０及び停車地点システム２０のハードウエア構成は、第１の実施形態と同様である。
【００８１】
管理装置１０の機能ブロック図の一例は、第１の実施形態同様に図３で示される。図示するように、管理装置１０は、ユーザ情報管理部１１と、リスト作成部１２と、送信部１３とを有する。ユーザ情報管理部１１の構成は、第１の実施形態と同様である。
【００８２】
リスト作成部１２は、停車地点毎に、降車を許可するユーザのリストである降車ホワイトリストを作成する。図６に、降車ホワイトリストの一例を模式的に示す。図示する例では、各停車地点にユーザを対応付けている。各停車地点に対応付けられたユーザが、各停車地点の降車ホワイトリストに含まれているユーザである。
【００８３】
ここで、各停車地点の降車ホワイトリストを作成するために、ユーザを決定する条件の一例を説明する。
【００８４】
「条件２−１：有効期間内の乗車券を有しているユーザに限定した降車ホワイトリストを作成する」
リスト作成部１２は、有効期間内の乗車券を有しているユーザを降車ホワイトリストに追加する。条件２−１に基づく場合、リスト作成部１２は、有効期間外の乗車券を有しているユーザを降車ホワイトリストに追加しない。有効期間を過ぎた乗車券やアクティベート操作前の乗車券等が、有効期間外の乗車券である。
【００８５】
条件２−１は、期間ゾーンチケット、期間乗降地点指定チケット、期間距離指定チケット等に適用可能である。
【００８６】
「条件２−２：停車地点毎に、当該停車地点各々で降車可能な乗車券を有しているユーザに限定した降車ホワイトリストを作成する」
リスト作成部１２は、チケット情報に基づき、各ユーザの各乗車券の降車可能な停車地点を特定する。そして、リスト作成部１２は、各ユーザを、その停車地点の降車ホワイトリストに追加する。条件２−２に基づく場合、リスト作成部１２は、各ユーザを、降車可能な停車地点以外の停車地点の降車ホワイトリストに追加しない。
【００８７】
ゾーンチケットの場合、ゾーン内の停車地点が降車可能な停車地点となる。指定された降車地点での降車のみを許可する乗降地点指定チケットの場合、指定された降車地点が降車可能な停車地点となる。指定された乗車地点と降車地点の間の任意の停車地点での乗車及び降車を許可する乗降地点指定チケットの場合、指定された乗車地点と降車地点の間の停車地点（指定された乗降車地点を含む）が降車可能な停車地点となる。距離指定チケット及びプリペイドチケットの場合、すべての停車地点が降車可能な停車地点となる。
【００８８】
条件２−２は、ゾーンチケット及び乗降地点指定チケット等に適用可能である。
【００８９】
「条件２−３：ユーザの乗車地点からの距離が当該ユーザの乗車券で移動可能な距離以内の停車地点毎に当該ユーザを追加した降車ホワイトリストを作成する」
リスト作成部１２は、各ユーザを、乗車地点からの距離が乗車券（チケット情報）で特定される移動可能距離以内の停車地点の降車ホワイトリストに追加する。条件２−３に基づく場合、リスト作成部１２は、各ユーザを、乗車地点からの距離が乗車券（チケット情報）で特定される移動可能距離以外の停車地点の降車ホワイトリストに追加しない。条件２−３は、距離指定チケット等に適用可能である。
【００９０】
リスト作成部１２は、例えば、停車地点システム２０から、各ユーザの乗車地点や降車地点を示す情報を取得することができる。
【００９１】
「条件２−４：乗車したユーザに限定した降車ホワイトリストを作成し、降車したユーザを降車ホワイトリストから削除する」
リスト作成部１２は、乗車したユーザを降車ホワイトリストに追加する。すなわち、乗車に応じて、各ユーザを降車ホワイトリストに追加する。そして、リスト作成部１２は、降車したユーザを降車ホワイトリストから削除する。すなわち、降車に応じて、各ユーザを降車ホワイトリストから削除する。条件２−４に基づく場合、リスト作成部１２は、乗車してないユーザを降車ホワイトリストに追加しない。また、リスト作成部１２は、乗車後に降車してないユーザを降車ホワイトリストから削除しない。
【００９２】
リスト作成部１２は、例えば、停車地点システム２０から、各ユーザの乗車や降車を示す情報を取得することができる。
【００９３】
リスト作成部１２は、上記例示した条件２−１乃至２−４の１つ、又は、複数を所定の論理式で組み合わせた条件に基づき、各停車地点の降車ホワイトリストに追加するユーザを決定することができる。
【００９４】
送信部１３は、停車地点各々のシステム（停車地点システム２０）に、停車地点各々に対応した降車ホワイトリストに含まれているユーザの生体情報を送信する。停車地点システム２０は、受信したユーザの生体情報を、降車ホワイトリストとして記憶する。
【００９５】
停車地点システム２０に記憶されている降車ホワイトリストと、管理装置１０に管理されている降車ホワイトリストは、リストに含まれているユーザが一致するように定期的に同期される。同期処理は、停車地点システム２０に記憶されている降車ホワイトリストを、管理装置１０に管理されている各停車地点の降車ホワイトリストに合わせる形で実行される。同期処理は、比較的短い時間間隔で定期的に行われてもよいし、管理装置１０に管理されている各停車地点の降車ホワイトリストが更新される都度行われてもよい。
【００９６】
停車地点システム２０は、停車地点にいるユーザ、すなわち降車しようとしているユーザ（例：改札機、ゲートを通過しようとしているユーザ）から取得した生体情報（「対象生体情報」と呼ぶ）と、管理装置１０から取得した生体情報（「登録生体情報」と呼ぶ）とに基づき認証処理を行う。生体情報の取得は、カメラ、指紋センサ、マイク等の入力装置を介して実現される。ここで、登録生体情報と本実施形態における降車ホワイトリストとの関係は、「登録生体情報は降車ホワイトリストに含まれているユーザの生体情報」になる。
【００９７】
そして、停車地点システム２０は、認証処理の結果に基づきユーザの降車の可否を管理する。すなわち、対象生体情報がいずれかの登録生体情報とマッチングした場合、停車地点システム２０は、そのユーザの降車を許可する。一方、対象生体情報がいずれの登録生体情報ともマッチングしない場合、停車地点システム２０は、そのユーザの降車を許可しない。
【００９８】
降車を許可する場合の処理、及び、降車を許可しない場合の処理は設計的事項である。例えば、降車を許可しない場合、停車地点システム２０は、任意の出力装置（例：ランプ、スピーカ、ディスプレイ等）を介して警告用の出力を行ってもよいし、ゲートを閉じてもよい。一方、降車を許可する場合、停車地点システム２０は、任意の出力装置（例：ランプ、スピーカ、ディスプレイ等）を介して降車を許可する際の出力を行ってもよいし、ゲートを開いてもよい。
【００９９】
管理装置１０及び停車地点システム２０のその他の機能構成は、第１の実施形態と同様である。
【０１００】
以上説明した本実施形態の管理システムによれば、第１の実施形態と同様の作用効果を実現できる。
【０１０１】
また、本実施形態の管理システムによれば、停車地点毎にユーザを絞り込んだ降車ホワイトリストを作成し、当該降車ホワイトリストに含まれているユーザの生体情報（登録生体情報）を用いて各停車地点での照合処理を行うことができる。このため、各停車地点での照合処理に用いる登録生体情報の量を抑制することができる。また、管理装置１０から各停車地点システム２０に送信するデータ量を抑制することができる。
【０１０２】
また、本実施形態の管理システムによれば、特徴的な条件（上述した条件２−１乃至２−４）に基づき、各停車地点用の降車ホワイトリストに含まれているユーザを絞り込むことができる。特徴的な条件で適切に絞り込むことで、降車権限を有するユーザの降車を拒否してしまう等の不都合の発生を抑制できる。
【０１０３】
＜適用例＞
第１の実施形態及び第２の実施形態の管理システムの適用例を説明する。
【０１０４】
「適用例１」
図７のフローを用いて、適用例１を説明する。まず、ユーザが携帯アプリでアカウント登録を行う（Ｓ１０１）。管理装置１０は、これに応じてユーザアカウントを生成し、管理情報（図４参照）に登録する（Ｓ１０２）。なお、ユーザは支払手段をさらに登録してもよい（Ｓ１０３）。この場合、管理装置１０は、支払手段を各ユーザに対応付けて登録する（Ｓ１０２）。そして、管理装置１０は、登録された情報に基づき、決済業者のシステムと連携する（Ｓ１０４）。
【０１０５】
その後、ユーザは、携帯アプリで所定の乗車券を購入する操作を行う（Ｓ１０５）。管理装置１０は、これ応じて、当該ユーザに対応付けてチケット情報（図４参照）を登録する（Ｓ１０６）とともに、決済業者のシステムと連携して乗車券の支払処理を行う（Ｓ１０７）。Ｓ１０６及びＳ１０７の処理の前後関係は、逆であってもよい。
【０１０６】
なお、ここでは、ユーザは、期間ゾーンチケットを購入したものとする。そして、当該乗車券はアクティベート操作を要するものとする。
【０１０７】
その後、ユーザは、携帯アプリで購入した乗車券に対するアクティベート操作を行う（Ｓ１０８）。すると、管理装置１０は、当該乗車券をアクティベートする（Ｓ１０９）。そして、管理装置１０は、これに応じて、乗車ホワイトリストを更新する（Ｓ１１０）。具体的には、Ｓ１０９でアクティベートされた乗車券を有するユーザを、ゾーン内の全ての停車地点の乗車ホワイトリストに追加する。なお、当該ユーザは、有効期間のみ、ゾーン内の全ての停車地点の乗車ホワイトリストに含まれることとなる。
【０１０８】
Ｓ１１１では、管理装置１０から停車地点システム２０に送信された情報に基づき、停車地点システム２０に記憶されている乗車ホワイトリストと、管理装置１０に管理されている乗車ホワイトリストの内容が同期される。図では、Ｓ１１０での乗車ホワイトリストの更新に応じて、Ｓ１１１の同期処理が行われているが、Ｓ１１１の同期処理はＳ１１０の乗車ホワイトリストの更新と関係ないタイミングで行われてもよい。例えば、Ｓ１１１の同期処理は、比較的短い時間間隔で定期的に行われてもよい。
【０１０９】
その後、ユーザが購入及びアクティベートした乗車券で乗車できる停車地点に行くと（Ｓ１１２）、現場機器（例：改札機、ゲート）に接続されたカメラがユーザの顔を撮影する。そして、停車地点システム２０は、撮影された画像と、乗車ホワイトリストに含まれているユーザの生体情報とに基づき、認証処理を行う（Ｓ１１３）。
【０１１０】
認証した場合、すなわち乗車を許可する場合、停車地点システム２０は、任意の出力装置（例：ランプ、スピーカ、ディスプレイ等）を介して乗車を許可する際の出力を行ってもよいし、ゲートを開いてもよい。これに応じて、ユーザは乗車する（Ｓ１１４）。
【０１１１】
ここで、適用例１の変形例を説明する。上記説明では、ユーザは期間ゾーンチケットを購入し、管理装置１０は当該ユーザをゾーン内の全ての停車地点の乗車ホワイトリストに追加する例を説明した。変形例では、ユーザはその他のチケットを購入してもよい。そして、管理装置１０は、例えば、条件１−２乃至１−４の中の１つ又は複数の組み合わせに基づき、当該ユーザを所定の停車地点の乗車ホワイトリストに追加してもよい。
【０１１２】
「適用例２」
図８のフローを用いて、適用例２を説明する。まず、ユーザが携帯アプリでアカウント登録を行う（Ｓ３０１）。管理装置１０は、これに応じてユーザアカウントを生成し、管理情報（図４参照）に登録する（Ｓ３０２）。なお、ユーザは支払手段をさらに登録してもよい（Ｓ３０３）。この場合、管理装置１０は、支払手段を各ユーザに対応付けて登録する（Ｓ３０２）。そして、管理装置１０は、登録された情報に基づき、決済業者のシステムと連携する（Ｓ３０４）。
【０１１３】
その後、ユーザは、携帯アプリで所定の乗車券を購入する操作を行う（Ｓ３０５）。管理装置１０は、これ応じて、当該ユーザに対応付けてチケット情報（図４参照）を登録する（Ｓ３０６）とともに、決済業者のシステムと連携して乗車券の支払処理を行う（Ｓ３０７）。Ｓ３０６及びＳ３０７の処理の前後関係は、逆であってもよい。
【０１１４】
なお、ここでは、ユーザは、乗降地点指定チケット又は距離指定チケットを購入したものとする。そして、当該乗車券はアクティベート操作を要するものとする。
【０１１５】
その後、ユーザは、携帯アプリで購入した乗車券に対するアクティベート操作を行う（Ｓ３０８）。すると、管理装置１０は、当該乗車券をアクティベートする（Ｓ３０９）。そして、管理装置１０は、これに応じて、乗車ホワイトリストを更新する（Ｓ３１０）。具体的には、Ｓ３０９でアクティベートされた乗車券を有するユーザを、所定の停車地点の乗車ホワイトリストに追加する。例えば、条件１−２乃至１−４の中の１つ又は複数の組み合わせに基づき、当該ユーザを所定の停車地点の乗車ホワイトリストに追加する。
【０１１６】
Ｓ３１１では、管理装置１０から停車地点システム２０に送信された情報に基づき、停車地点システム２０に記憶されている乗車ホワイトリストと、管理装置１０に管理されている乗車ホワイトリストの内容が同期される。図では、Ｓ３１０での乗車ホワイトリストの更新に応じて、Ｓ３１１の同期処理が行われているが、Ｓ３１１の同期処理はＳ３１０の乗車ホワイトリストの更新と関係ないタイミングで行われてもよい。例えば、Ｓ３１１の同期処理は、比較的短い時間間隔で定期的に行われてもよい。
【０１１７】
その後、ユーザが購入及びアクティベートした乗車券で乗車できる停車地点に行くと（Ｓ３１２）、現場機器（例：ゲート）に接続されたカメラがユーザの顔を撮影する。そして、停車地点システム２０は、撮影された画像と、乗車ホワイトリストに含まれているユーザの生体情報とに基づき、認証処理を行う（Ｓ３１３）。
【０１１８】
認証した場合、すなわち乗車を許可する場合、停車地点システム２０は、任意の出力装置（例：ランプ、スピーカ、ディスプレイ等）を介して乗車を許可する際の出力を行ってもよいし、ゲートを開いてもよい。これに応じて、ユーザは乗車する（Ｓ３１４）。
【０１１９】
また、認証した場合、停車地点システム２０は、当該ユーザによる乗車を示す情報を、管理装置１０に送信する。停車地点システム２０は、さらに、乗車地点を示す情報を管理装置１０に送信してもよい。管理装置１０は、停車地点システム２０から受信した情報に基づき、降車ホワイトリストを更新する（Ｓ３１５）。例えば、条件２−１乃至２−４の中の１つ又は複数の組み合わせに基づき、当該ユーザを所定の停車地点の降車ホワイトリストに追加する。
【０１２０】
Ｓ３１６では、管理装置１０から停車地点システム２０に送信された情報に基づき、停車地点システム２０に記憶されている降車ホワイトリストと、管理装置１０に管理されている降車ホワイトリストの内容が同期される。図では、Ｓ３１５での降車ホワイトリストの更新に応じて、Ｓ３１６の同期処理が行われているが、Ｓ３１６の同期処理はＳ３１５の降車ホワイトリストの更新と関係ないタイミングで行われてもよい。例えば、Ｓ３１６の同期処理は、比較的短い時間間隔で定期的に行われてもよい。
【０１２１】
その後、ユーザが降車地点に行くと（Ｓ３１７）、現場機器（例：ゲート）に接続されたカメラがユーザの顔を撮影する。そして、停車地点システム２０は、撮影された画像と、降車ホワイトリストに含まれているユーザの生体情報とに基づき、認証処理を行う（Ｓ３１８）。
【０１２２】
認証した場合、すなわち降車を許可する場合、停車地点システム２０は、任意の出力装置（例：ランプ、スピーカ、ディスプレイ等）を介して降車を許可する際の出力を行ってもよいし、ゲートを開いてもよい。これに応じて、ユーザは降車する（Ｓ３１９）。
【０１２３】
以下、参考形態の例を付記する。
１．  ユーザごとに、購入した乗車券に関するチケット情報、及び、生体情報を管理するユーザ情報管理手段と、
停車地点毎に、乗車を許可するユーザのリストであって、前記停車地点各々から乗車できる前記乗車券を有するユーザを含む乗車ホワイトリストを作成するリスト作成手段と、
前記停車地点各々のシステムに、前記停車地点各々に対応した前記乗車ホワイトリストに含まれているユーザの前記生体情報を送信する送信手段と、
を有する管理装置。
２．  １に記載の管理装置において、
前記リスト作成手段は、有効期間内の前記乗車券を有しているユーザに限定した前記乗車ホワイトリストを作成する管理装置。
３．  ２に記載の管理装置において、
前記リスト作成手段は、前記停車地点毎に、前記停車地点各々で乗車可能な前記乗車券を有しているユーザに限定した前記乗車ホワイトリストを作成する管理装置。
４．  １から３のいずれかに記載の管理装置において、
前記ユーザ情報管理手段は、前記停車地点毎に、ユーザの登録された住所と前記停車地点各々との関係が所定の条件を満たすユーザに限定した前記乗車ホワイトリストを作成する管理装置。
５．  １から４のいずれかに記載の管理装置において、
前記リスト作成手段は、前記停車地点毎に、ユーザが前記乗車券に関する所定の操作を行った時の位置と前記停車地点各々との関係が所定の条件を満たすユーザに限定した前記乗車ホワイトリストを作成する管理装置。
６．  １から５のいずれかに記載の管理装置において、
前記リスト作成手段は、所定期間内に繰り返し乗り降りできる前記乗車券を有するユーザの降車地点との関係が所定条件を満たす前記停車地点毎に当該ユーザを追加した前記乗車ホワイトリストを作成する管理装置。
７．  １から６のいずれかに記載の管理装置において、
前記リスト作成手段は、１回のみ乗り降りできる前記乗車券を有するユーザの乗車が検出された場合、当該ユーザを前記乗車ホワイトリストから削除する管理装置。
８．  １から７のいずれかに記載の管理装置において、
前記リスト作成手段は、所定期間内に繰り返し乗り降りできる前記乗車券を有するユーザを、前記所定期間の経過に応じて前記乗車ホワイトリストから削除する管理装置。
９．  １から８のいずれかに記載の管理装置において、
前記リスト作成手段は、停車地点毎に、降車を許可するユーザのリストである降車ホワイトリストを作成し、
前記送信手段は、前記停車地点各々のシステムに、前記停車地点各々に対応した前記降車ホワイトリストに含まれているユーザの前記生体情報を送信する管理装置。
１０．  ９に記載の管理装置において、
前記リスト作成手段は、有効期間内の前記乗車券を有しているユーザに限定した前記降車ホワイトリストを作成する管理装置。
１１．  １０に記載の管理装置において、
前記リスト作成手段は、前記停車地点毎に、前記停車地点各々で降車可能な前記乗車券を有しているユーザに限定した前記降車ホワイトリストを作成する管理装置。
１２．  ９から１１のいずれかに記載の管理装置において、
前記リスト作成手段は、ユーザの乗車地点からの距離が当該ユーザの前記乗車券で移動可能な距離以内の前記停車地点毎に当該ユーザを追加した前記降車ホワイトリストを作成する管理装置。
１３．  ９から１２のいずれかに記載の管理装置において、
前記リスト作成手段は、乗車したユーザを前記降車ホワイトリストに加え、降車したユーザを前記降車ホワイトリストから削除する管理装置。
１４．  １から１３のいずれかに記載の管理装置と、
停車地点毎に設置され、停車地点にいるユーザから取得した生体情報と、前記管理装置から取得した生体情報とに基づき認証処理を行い、前記認証処理の結果に基づき前記ユーザの乗車の可否を管理する停車地点システムと、
を有する管理システム。
１５．  コンピュータが、
ユーザごとに、購入した乗車券に関するチケット情報、及び、生体情報を管理するユーザ情報管理工程と、
停車地点毎に、乗車を許可するユーザのリストであって、前記停車地点各々から乗車できる前記乗車券を有するユーザを含む乗車ホワイトリストを作成するリスト作成工程と、
前記停車地点各々のシステムに、前記停車地点各々に対応した前記乗車ホワイトリストに含まれているユーザの前記生体情報を送信する送信工程と、
を実行する管理方法。
１６．  コンピュータを、
ユーザごとに、購入した乗車券に関するチケット情報、及び、生体情報を管理するユーザ情報管理手段、
停車地点毎に、乗車を許可するユーザのリストであって、前記停車地点各々から乗車できる前記乗車券を有するユーザを含む乗車ホワイトリストを作成するリスト作成手段、
前記停車地点各々のシステムに、前記停車地点各々に対応した前記乗車ホワイトリストに含まれているユーザの前記生体情報を送信する送信手段、
として機能させるプログラム。
【図１】
2018207357.tif 000003
【図２】
2018207357.tif 000004
【図３】
2018207357.tif 000005
【図４】
2018207357.tif 000006
【図５】
2018207357.tif 000007
【図６】
2018207357.tif 000008
【図７】
2018207357.tif 000009
【図８】
2018207357.tif 000010
【国際調査報告】
2018207357.tif 000011
2018207357.tif 000012
2018207357.tif 000013
2018207357.tif 000014